(57)【要約】【課題】本発明の目的は、順路パターンと関係なく利用者ごとに通行権限を制限することができる通行管理システムを提供することである。【解決手段】通行管理システムは、利用者が携帯するカードが有するカード識別番号と関連付けられた権限レベルを記憶する記憶部４と、利用者が隣接する２つの領域を区分する扉を通行しようとする際に、カード識別番号を読み取るカードリーダー１と、読み取られたカード識別番号と関連付けられて記憶部４に記憶されている通行済み扉レベルが扉の通行制限レベル以上である場合に、利用者が扉を通行することを許可すると判定する判定部５と、判定部５により利用者が扉を通行することを許可すると判定された際に、扉レベルに基づいて、カードリーダー１により読み取られたカード識別番号と関連付けられて記憶部４に記憶されている通行済み扉レベルを低下させる更新部７と、を備える。【選択図】図５
2015088120.tif 000002
【特許請求の範囲】
【請求項１】
利用者が携帯する識別体が有する識別情報と関連付けられた権限レベルを記憶する記憶部と、
前記識別体を携帯する利用者が隣接する２つの領域を区分する境界を越えて通行しようとする際に、前記識別体から識別情報を読み取る読取装置と、
前記読取装置により読み取られた識別情報と関連付けられて前記記憶部に記憶されている権限レベルが予め設定された前記境界の通行制限レベル以上である場合に、前記識別体を携帯する利用者が前記境界を越えて通行することを許可すると判定する判定部と、
前記判定部により前記識別体を携帯する利用者が前記境界を越えて通行することを許可すると判定された際に、予め設定された前記境界の境界レベルに基づいて、前記読取装置により読み取られた識別情報と関連付けられて前記記憶部に記憶されている権限レベルを低下させる更新部と、
を備えた通行管理システム。
【請求項２】
前記更新部は、前記判定部により前記識別体を携帯する利用者が前記境界を越えて通行することを許可すると判定された際に、前記境界の境界レベルが前記読取装置により読み取られた識別情報と関連付けられて前記記憶部に記憶されている権限レベルより低い場合は、前記読取装置により読み取られた識別情報と関連付けられて前記記憶部に記憶されている権限レベルを前記境界の境界レベルで上書きする請求項１に記載の通行管理システム。
【請求項３】
前記更新部は、前記判定部により前記識別体を携帯する利用者が前記境界を越えて通行することを許可すると判定された際に、前記境界の境界レベルを前記読取装置により読み取られた識別情報と関連付けて直前通行境界レベルとして前記記憶部に記憶させ、
前記判定部は、前記読取装置により読み取られた識別情報と関連付けられて前記記憶部に記憶されている権限レベルが前記境界の通行制限レベル以上でなくとも、前記読取装置により読み取られた識別情報と関連付けられて前記記憶部に記憶されている直前通行境界レベルが予め設定された前記境界の通行制限例外レベルと一致した場合に、前記識別体を携帯する利用者が前記境界を越えて通行することを許可すると判定する請求項１又は２に記載の通行管理システム。
【発明の詳細な説明】
【技術分野】
【０００１】
本発明は、通行管理システムに関するものである。
【背景技術】
【０００２】
下記特許文献１には、入退室管理システムが記載されている。この入退室管理システムは、複数の読取装置を備えている。読取装置は、利用者の識別情報を読み込む。入退室管理システムは、予め設定された順路パターンに従う順序で複数の読取装置が識別情報を読み込んだ場合に、利用者が目的の部屋へ入室することを許可する。
【先行技術文献】
【特許文献】
【０００３】
【特許文献１】特開２００８−１５７０１５号公報
【発明の概要】
【発明が解決しようとする課題】
【０００４】
特許文献１に記載の入退室管理システムでは、例えば、順路パターンにおいて滅菌室よりも前に汚染室が存在する場合は、汚染室に入った後の利用者が滅菌室に入室してしまう。しかし、この入退室管理システムでは、順路パターンに従って通行すれば目的の部屋へ入室できるため、汚染室に入った利用者を滅菌室に入室できなくすることはできない。つまり、この入退室管理システムでは、順路パターンと関係なく利用者ごとに通行権限を制限することができない。
【０００５】
本発明は、上記の課題を解決するためになされた。その目的は、順路パターンと関係なく利用者ごとに通行権限を制限することができる通行管理システムを提供することである。
【課題を解決するための手段】
【０００６】
本発明に係る通行管理システムは、利用者が携帯する識別体が有する識別情報と関連付けられた権限レベルを記憶する記憶部と、識別体を携帯する利用者が隣接する２つの領域を区分する境界を越えて通行しようとする際に、識別体から識別情報を読み取る読取装置と、読取装置により読み取られた識別情報と関連付けられて記憶部に記憶されている権限レベルが予め設定された境界の通行制限レベル以上である場合に、識別体を携帯する利用者が境界を越えて通行することを許可すると判定する判定部と、判定部により識別体を携帯する利用者が境界を越えて通行することを許可すると判定された際に、予め設定された境界の境界レベルに基づいて、読取装置により読み取られた識別情報と関連付けられて記憶部に記憶されている権限レベルを低下させる更新部と、を備えたものである。
【発明の効果】
【０００７】
本発明によれば、順路パターンと関係なく利用者ごとに通行権限を制限することができる。
【図面の簡単な説明】
【０００８】
【図１】本発明の実施の形態１における通行管理システムの構成図である。
【図２】本発明の実施の形態１における通行権限情報の例を示す説明図である。
【図３】本発明の実施の形態１における通行条件情報の例を示す説明図である。
【図４】本発明の実施の形態１における通行履歴情報の例を示す説明図である。
【図５】本発明の実施の形態１における通行時の判定手順を示すフローチャートである。
【図６】本発明の実施の形態１における通行履歴情報の更新を説明するためのフローチャートである。
【図７】本発明の実施の形態１における通行履歴情報の初期化を説明するためのフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、本実施の形態における通行管理システムの構成図である。通行管理システムは、複数の境界により区分された複数の領域に対して適用される。複数の領域とは、例えば、建物内の部屋及び通路等である。境界とは、例えば、建物の出入口、建物内の部屋及び通路に設けられた扉、エレベータの出入口等である。なお、図１では、複数の部屋を備えた建物における通行管理システムを示している。本実施の形態では、建物の敷地内を通行管理システムの管理対象エリアとし、建物の敷地外を管理対象外エリアとする。
【００１１】
建物内の複数の部屋及び通路等には、複数の扉が設けられている。複数の扉には、各々に個別の扉番号が付与されている。例えば、扉番号１の扉は「扉１」、扉番号ｎの扉は「扉ｎ」と表される。扉には、カードリーダー１及び電気錠２が設けられている。建物には、ＩＤコントローラ３が設けられている。ＩＤコントローラ３は、カードリーダー１及び電気錠２と接続されている。ＩＤコントローラ３は、記憶部４、判定部５、扉開閉制御部６及び更新部７を備えている。
【００１２】
利用者は、識別情報を有する識別体を携帯している。識別情報は、識別体を特定するための固有の情報である。本実施の形態では、利用者は、識別体としてカードを携帯している。カードは、固有の識別情報としてカード識別番号を有している。
【００１３】
カードリーダー１は、利用者が携帯するカードからカード識別番号を読み取る。つまり、カードリーダー１は、識別体から識別情報を読み取る読取装置として働く。カードリーダー１は、カードから読み取ったカード識別番号をＩＤコントローラ３に送信する。
【００１４】
記憶部４には、通行権限情報、通行条件情報及び通行履歴情報が記憶されている。判定部５は、カードリーダー１から送信された識別情報及び記憶部４に記憶されている情報に基づいて、当該カードリーダー１が設けられた扉を利用者が通行することを許可するか否か判定する。扉開閉制御部６は、判定部５の判定結果に基づいて、当該カードリーダー１が設けられた扉の電気錠２を制御する。更新部７は、判定部５及び扉開閉制御部６の動作に基づいて、記憶部４に記憶されている通行履歴情報を更新する。
【００１５】
図２は、本発明の実施の形態１における通行権限情報の例を示す説明図である。通行権限情報には、個人番号、カード識別番号及び「通行許可扉」が含まれている。個人番号は、利用者を特定するための情報である。「通行許可扉」は、利用者が通行権限を与えられている扉を示す情報である。つまり、「通行許可扉」は、利用者がどの境界を越えて通行する権限を与えられているかを示している。「通行許可扉」は、予め利用者ごとに設定されている。通行権限情報に含まれている個人番号、カード識別番号及び「通行許可扉」は、相互に関連付けられている。例えば、図２によれば、個人番号００００２の利用者は、カード識別番号００００２のカードを携帯し、扉１及び扉２を通行する権限を与えられている。
【００１６】
図３は、本発明の実施の形態１における通行条件情報の例を示す説明図である。通行条件情報には、扉番号、「扉レベル」、「通行制限レベル」及び「通行制限例外レベル」が含まれている。「扉レベル」は、扉ごとに予め設定された値である。つまり、「扉レベル」は、境界ごとに予め設定された境界レベルである。「扉レベル」は、例えば、扉の重要度に基づいて設定される。「通行制限レベル」及び「通行制限例外レベル」は、扉ごとに予め設定された値又は未設定の値である。通行条件情報に含まれている扉番号、「扉レベル」、「通行制限レベル」及び「通行制限例外レベル」は、相互に関連付けられている。例えば、図３によれば、扉２は、「扉レベル」が２に設定され、「通行制限レベル」が１に設定され、「通行制限例外レベル」は未設定である。
【００１７】
図４は、本発明の実施の形態１における通行履歴情報の例を示す説明図である。通行履歴情報には、個人番号、カード識別番号、「通行済み扉レベル」及び「直前通行扉レベル」が含まれている。「通行済み扉レベル」及び「直前通行扉レベル」は、利用者ごとに記憶される。「通行済み扉レベル」及び「直前通行扉レベル」は、利用者が過去に通行した扉を示す情報である。利用者が扉を一度も通行していない場合、「通行済み扉レベル」及び「直前通行扉レベル」は未登録となる。未登録でない「通行済み扉レベル」は、利用者が過去に通行した扉の「扉レベル」のうち最も低い値である。未登録でない「直前通行扉レベル」は、利用者が通行した直近の扉の「扉レベル」である。つまり、「直前通行扉レベル」は、利用者が通行した直近の境界の境界レベルである。通行履歴情報に含まれている個人番号、カード識別番号、「通行済み扉レベル」及び「直前通行扉レベル」は、相互に関連付けられている。例えば、図４によれば、個人番号００００２の利用者は、過去に扉２を通行したが、扉１は通行していない。
【００１８】
図５は、本発明の実施の形態１における通行時の判定手順を示すフローチャートである。以下、図５を参照して、利用者が扉を通行しようとする際の通行管理システムの動作を説明する。
【００１９】
利用者が扉を通行しようとすると、当該扉に設けられたカードリーダー１は、利用者が携帯するカードのカード識別番号を読み取る。カードリーダー１は、カードから読み取ったカード識別番号をＩＤコントローラ３に送信する。ＩＤコントローラ３は、カードリーダー１からカード識別番号を受信する（ステップＳ１０１）。
【００２０】
判定部５は、受信したカード識別番号と関連付けられている「通行許可扉」を通行権限情報から参照する。判定部５は、参照した「通行許可扉」に、カード識別番号を読み取ったカードリーダー１が設けられた扉が含まれているか否か判定する。これにより、利用者に当該扉の通行権限があるか否かが判定される（ステップＳ１０２）。「通行許可扉」に当該扉が含まれている場合、利用者には当該扉の通行権限があると判定される。「通行許可扉」に当該扉が含まれていない場合、利用者には当該扉の通行権限がないと判定される。利用者に当該扉の通行権限がないと判定された場合、ＩＤコントローラ３は動作を終了する。
【００２１】
ステップＳ１０２において、利用者に当該扉の通行権限があると判定された場合、判定部５は、当該扉の扉番号と関連付けられている「通行制限レベル」を通行条件情報から参照する。判定部５は、参照した「通行制限レベル」が未設定であるか否かを判定する（ステップＳ１０３）。
【００２２】
ステップＳ１０３において、「通行制限レベル」が未設定であると判定された場合、扉開閉制御部６は、当該扉の電気錠２に解錠許可信号を出力する（ステップＳ１０４）。これにより、当該扉の電気錠２が解錠され、利用者の通行が許可される。
【００２３】
ステップＳ１０３において、「通行制限レベル」が未設定でないと判定された場合、判定部５は、受信したカード識別番号と関連付けられている「通行済み扉レベル」を通行履歴情報から参照する。判定部５は、参照した「通行済み扉レベル」が未登録であるか否かを判定する（ステップＳ１０５）。ステップＳ１０５において、「通行済み扉レベル」が未登録であると判定された場合、ステップＳ１０４に進む。
【００２４】
ステップＳ１０５において、「通行済み扉レベル」が未登録でないと判定された場合、判定部５は、ステップＳ１０５における「通行済み扉レベル」がステップＳ１０３における「通行制限レベル」以上であるか否かを判定する（ステップＳ１０６）。「通行済み扉レベル」が「通行制限レベル」以上であると判定された場合、ステップＳ１０４に進む。つまり、利用者の「通行済み扉レベル」が当該扉の「通行制限レベル」以上である場合に、利用者は当該扉を通行することを許可される。このことから、「通行制限レベル」は、当該扉を通行するために必要な権限を示す情報といえる。また、「通行済み扉レベル」は、利用者がその時点でどの程度の権限を持つかを示す権限レベルといえる。
【００２５】
ステップＳ１０６において、「通行済み扉レベル」が「通行制限レベル」以上でないと判定された場合、判定部５は、当該扉の扉番号と関連付けられている「通行制限例外レベル」及び受信したカード識別番号と関連付けられている「直前通行扉レベル」を参照する。そして、判定部５は、参照した「通行制限例外レベル」と「直前通行扉レベル」が一致するか否か判定する（ステップＳ１０７）。ステップＳ１０７において、「通行制限例外レベル」と「直前通行扉レベル」が一致しないと判定された場合、ＩＤコントローラ３は動作を終了する。
【００２６】
ステップＳ１０７において、「通行制限例外レベル」と「直前通行扉レベル」が一致すると判定された場合、ステップＳ１０４に進む。つまり、利用者の「通行済み扉レベル」が当該扉の「通行制限レベル」以上でなくとも、利用者の「直前通行扉レベル」が当該扉の「通行制限例外レベル」と一致した場合には、利用者は当該扉を通行することを許可される。
【００２７】
図６は、本発明の実施の形態１における通行履歴情報の更新を説明するためのフローチャートである。以下、図６を参照して、更新部７による通行履歴情報の更新動作を説明する。
【００２８】
図５のステップＳ１０４で当該扉の電気錠２が解錠された場合、判定部５は、当該扉の「扉レベル」が受信したカード識別番号と関連付けられている「通行済み扉レベル」よりも低いか否かを判定する（ステップＳ２０１）。ステップＳ２０１において、「扉レベル」が「通行済み扉レベル」よりも低くないと判定された場合、ステップＳ２０３に進む。
【００２９】
ステップＳ２０１において、「扉レベル」が「通行済み扉レベル」よりも低いと判定された場合、更新部７は、受信したカード識別番号と関連付けられている「通行済み扉レベル」を当該扉の「扉レベル」で上書きする（ステップＳ２０２）。その後、ステップＳ２０３に進む。
【００３０】
ステップＳ２０３において、更新部７は、受信したカード識別番号と関連付けられている「直前通行扉レベル」を当該扉の「扉レベル」で上書きする（ステップＳ２０３）。このようにして、更新部７は、記憶部４に記憶されている通行履歴情報を更新する。
【００３１】
図７は、本発明の実施の形態１における通行履歴情報の初期化を説明するためのフローチャートである。以下、図７を参照して、更新部７による通行履歴情報の初期化動作を説明する。
【００３２】
ＩＤコントローラ３は、通行管理システムの管理者により通行履歴情報のリセットが指示されたか否かを判定する（ステップＳ３０１）。ステップＳ３０１において、通行管理システムの管理者により通行履歴情報のリセットが指示されたと判定された場合、ステップＳ３０３に進む。
【００３３】
ステップＳ３０１において、通行管理システムの管理者により通行履歴情報のリセットが指示されていないと判定された場合、ＩＤコントローラ３は、利用者が通行管理システムの管理対象外エリアに移動したか否かを判定する（ステップＳ３０２）。この判定は、例えば、管理対象エリアと管理対象外エリアの境界となる扉に設けられたカードリーダー１により読み取られたカード識別番号に基づいて行われる。ステップＳ３０２において、利用者が通行管理システムの管理対象外エリアに移動したと判定された場合、ステップＳ３０３に進む。一方、利用者が通行管理システムの管理対象外エリアに移動していないと判定された場合、ＩＤコントローラ３は動作を終了する。
【００３４】
ステップＳ３０３において、更新部７は、通行履歴情報の値を未登録に設定する。ステップＳ３０１からステップＳ３０３に進んだ場合、更新部７は、通行管理システムの管理者が指定した特定の利用者が携帯するカードのカード識別番号と関連付けられている「通行済み扉レベル」及び「直前通行扉レベル」の値を未登録とする。ステップＳ３０２からステップＳ３０３に進んだ場合、更新部７は、通行管理システムの管理対象外エリアに移動したと判定された利用者が携帯するカードのカード識別番号と関連付けられている「通行済み扉レベル」及び「直前通行扉レベル」の値を未登録とする。このようにして、更新部７は、記憶部４に記憶されている通行履歴情報を初期化する。
【００３５】
上述したとおり、本実施の形態では、扉を通行しようとする利用者の「通行済み扉レベル」が当該扉の「通行制限レベル」以上である場合に、利用者は当該扉を通行することを許可される。そして、利用者が通行した当該扉の「扉レベル」が「通行済み扉レベル」よりも低い場合には、利用者の「通行済み扉レベル」は当該扉の「扉レベル」で上書きされる。このため、利用者の「通行済み扉レベル」は、利用者が過去に通行した複数の扉の「扉レベル」のうち最も低い値に更新される。これは、利用者が過去に通行した扉に応じて、「通行済み扉レベル」という利用者の権限レベルが制限されることを意味する。つまり、本実施の形態における通行管理システムによれば、順路パターンと関係なく利用者ごとに通行権限を制限することができる。例えば、滅菌室の扉の「扉レベル」が汚染室の扉の「扉レベル」よりも高く設定されていれば、滅菌室及び汚染室の双方の扉の通行権限を与えられている利用者であっても、汚染室に入った後は滅菌室に入室できなくすることができる。
【００３６】
上述したとおり、本実施の形態では、扉を通行しようとする利用者の「通行済み扉レベル」が当該扉の「通行制限レベル」以上でなくとも、利用者の「直前通行扉レベル」が当該扉の「通行制限例外レベル」と一致した場合には、利用者は当該扉を通行することを許可される。このため、順路パターンと関係なく利用者ごとに通行権限を制限しつつ、特定の境界については通行を制限しないようにすることができる。これにより、例えば、特定の２つの部屋を繋ぐ扉は誰でも通行できるようにすることができる。
【００３７】
本実施の形態では、識別体としてカードを用いているが、識別体の形状はカード型に限定されるものではない。例えば、コイン型又はスティック型等の識別体を用いても同様の効果が得られる。また、読取装置は、識別体から識別情報を読み取ることができるものであればカードリーダーでなくとも同様の効果が得られる。
【００３８】
本実施の形態では、カードリーダー１は扉に設けられている。しかし、利用者が扉を通行しようとする際にカード識別番号を読み取ることができるならば、他の場所に設置してもよい。例えば、カードリーダー１を扉付近の壁又は天井等に設置することとしてもよい。
【符号の説明】
【００３９】
１  カードリーダー、２  電気錠、３  ＩＤコントローラ、４  記憶部、５  判定部、６  扉開閉制御部、７  更新部
【図１】
2015088120.tif 000003
【図２】
2015088120.tif 000004
【図３】
2015088120.tif 000005
【図４】
2015088120.tif 000006
【図５】
2015088120.tif 000007
【図６】
2015088120.tif 000008
【図７】
2015088120.tif 000009